(57)【特許請求の範囲】
【請求項１】
両面に表面板(1)を固定すると共に、両面の表面板(1)の対向する位置に複数の開口窓(2)を開口しており、この開口窓(2)には、額縁(3)を介して装飾板(4)を固定して、装飾板(4)でもって開口窓(2)を閉塞しているドアであって、
両面の表面板(1)は、開口窓(2)の内周縁の内面を切除して、内周縁部に沿って切除部(6)を設けて、切除部(6)でもって表面板(1)の内周縁の厚さを、表面板(1)全体の厚さよりも薄くしており、
額縁(3)は内形を開口窓(2)の内形に等しくし、かつ、外側面には内周縁に沿って、表面板(1)の切除部(6)に案内される凸条部(11)を設けており、
さらに、額縁(3)の内面には、装飾板(4)の外周縁を挿入する凹部溝(14)を設けて、凹部溝(14)に装飾板(4)の外周縁を挿入して、装飾板(4)と額縁(3)とを一体構造の額縁ユニット(15)としており、
装飾板(4)と額縁(3)は、互いに固定された額縁ユニット(15)の状態で両面の表面板(1)の間に固定され、
さらに、前記額縁(3)の凸条部(11)が内周縁に向かって突出する方向に傾斜する傾斜面(12)を有し、表面板(1)の切除部(6)が凸条部(11)の傾斜面(12)の方向に傾斜する傾斜面(7)を有するドア。
【請求項２】
表面板(1)の開口窓(2)の隅部(16)が面取りされた形状である請求項１に記載されるドア。
【請求項３】
表面板(1)の内周縁の厚さが、１．５ｍｍよりも薄い請求項１に記載されるドア。
【発明の詳細な説明】
【技術分野】
【０００１】
本発明は、ドアの改良に関し、とくに、両面に固定している表面板に開口窓を開口し、この開口窓に額縁を介して装飾板を固定しているドアに関する。
【背景技術】
【０００２】
表面板に設けた開口窓に、額縁を介して装飾板を固定するドアは、図１ないし図３に示す構造で、装飾板２４を固定している。図１に示すドアは、表面板２１の開口窓２２に沿って固定された芯材２５の内側に額縁２３を接着している。額縁２３は芯材２５に固定した表面板２１と同一平面に仕上げている。図１のように、額縁２３が表面板２１から突出しないドアは、すっきりとしたデザインの引き違い戸に使用できる。引き違い戸を開いたときに、額縁２３が別のドアに衝突しないからである。このドアは表面板２１と額縁２３との境界を綺麗に仕上げるために、額縁２３の隅角を面取りして、額縁２３と表面板２１の間にＶ溝２６を設けている。
【０００３】
図２に示すドアは、芯材２５を表面板２１の端縁から開口部に突出させている。このドアは、芯材２５の突出部に、額縁２３を固定している。額縁２３は、芯材２５を嵌入するために、外側面にコ字状のコ字溝２７を設けている。この構造のドアも、額縁２３と表面板２１とを同一平面にできる。しがって、引き違い戸にも使用できる。
【０００４】
さらに、図３に示すドアは、芯材２５に固定した表面板２１を挟む状態で、額縁２３を固定している。額縁２３は、芯材２５の両面に固定した表面板２１を挟着するために、外側面にコ字溝２７を設けている。この構造のドアは、額縁２３が表面板２１から突出するので、引き違い戸には使用できず、開き戸に使用される。
【０００５】
図１に示すドアは、額縁２３と表面板２１とを同一平面にできる特長はある。しかしながら、額縁２３と表面板２１の境界を綺麗に仕上げることが極めて難しい。それは、額縁２３と表面板２１の間の隙間を一定の間隔に揃えて高精度に仕上げることが難しく、この間に不揃いな隙間ができるからである。額縁２３と表面板２１との境界は、開口窓２２の内側縁と、額縁２３の外側縁とを正確な方形状に加工することが難しく、また、木材の狂いで変形することによって不揃いとなる。芯材２５と、表面板２１と、額縁２３に使用する天然の木材は、経時的に起こる変形を皆無にできない。
【０００６】
木材の変形は、ドアの組立工程で発生し、また、組み立てた後にも発生して、額縁２３と表面板２１の仕上げ精度を低下させる。さらに、この構造のドアは、経時的に発生する木材の狂いによって、表面板２１と額縁２３とをいつまでも同一平面に保持することが難しい欠点がある。表面板２１が反り、芯材２５と額縁２３とが変形すると、表面板２１と額縁２３とを同一平面に保持することができなくなる。ドアを引き違い戸に使用するときに、額縁２３と表面板２１とが同一平面でなくなると、スムーズにドアを開閉できなくなる。また、引き違い戸に使用しない場合でも、表面板２１と額縁２３とに部分的に段差ができると、よく目だってドアとしても美しさが著しく低下する欠点がある。
【０００７】
図２のドアは、芯材２５を額縁２３のコ字溝２７に嵌入するので、芯材２５の内側と額縁２３との間に隙間ができるのを防止できる特長がある。しかしながら、この構造のドアも、表面板２１と額縁２３との間に隙間ができるので、スッキリとした美しいデザインとすることが難しい。この隙間を狭くして、デザインをスッキリとしたものにできるが、隙間を狭くすると、隙間の幅を均一にするもが難しくなる。加工精度や額縁の歪が、隙間の幅を変化させるからである。
【０００８】
図３のドアは、額縁２３の外側に設けたコ字状のコ字溝２７に、芯材２５の両面に接着した表面板２１を嵌入するので、額縁２３と表面板２１との間の隙間をなくすることができる。しかしながら、この構造のドアは、額縁２３と表面板２１とを同一平面にできないので、引き戸としては使用できず、用途に制約を受ける欠点がある。また、額縁２３が表面板２１から突出するので、表面全体に凹凸のないスッキリとしたデザインにはできない。
【０００９】
本出願人は、このような欠点を解消することを目的として、図４に示すドアを開発した。（特許文献１参照）
【特許文献１】実開平６−７８５８３号公報
【発明の開示】
【発明が解決しようとする課題】
【００１０】
図４のドアは、表面板２１に設けた開口窓２２に、額縁２３を介して装飾板２４を固定している。両面に表面板２１を固定するために、表面板２１の間には、開口窓２２に沿って芯材２５を固定している。この芯材２５の両面に、表面板２１である繊維板のＭＤＦ（MEDIAM DENCITY FIBER BOAD）を固定している。表面板２１は、開口窓２２の周縁に沿って表面側に段差部２８を設けている。額縁２３はドアの開口窓２２に沿う方形状として、内周に装飾板２４を挟着して固定している。さらに、額縁２３の外周面は、断面形状をコ字状とするコ字溝２７を設けている。このコ字溝２７に、表面板２１の段差部２８を嵌入して、額縁２３でもつて、芯材２５の両面に固定された繊維板の段差部２８を挟着する状態に固定している。さらに、額縁２３と段差部２８との間にスリット隙間２９を設けて、このスリット隙間２９を塗装して綺麗に仕上げている。
【００１１】
この構造のドアは、表面板を段差部ができるように加工して、額縁のコ字溝に入れてスリット隙間を設けるので、表面にできるスリット隙間を皆無にはできない。このため、表面板に隙間のないスッキリトした美しいデザインにできない欠点がある。また、芯材の内側に額縁を固定するので、芯材の両面に表面板を固定した後、一対の額縁を装飾板を挟着するようにして組み立てるので、簡単に能率よく組み立てできない欠点がある。
【００１２】
本発明はさらにこの欠点を解消することを目的に開発されたもので、本発明の重要な目的は、表面に隙間のないスッキリとした美しいデザインにできると共に、芯材を額縁に対して特定の位置に設ける必要がなく、また、装飾板を額縁に固定する額縁ユニットの状態で表面板に固定することができ、簡単に能率よく組み立てできるドアを提供することにある。
【課題を解決するための手段】
【００１３】
本発明のドアは、前述の目的を達成するために以下の構成を備える。
ドアは、両面に表面板１を固定すると共に、両面の表面板１の対向する位置に開口窓２を開口しており、この開口窓２には、額縁３を介して装飾板４を固定して、装飾板４でもって開口窓２を閉塞している。両面の表面板１は、開口窓２の内周縁の内面を切除して、内周縁部に沿って切除部６を設けて、切除部６でもって表面板１の内周縁の厚さを、表面板１全体の厚さよりも薄くしている。額縁３は、内形を開口窓２の内形に沿う形状とし、かつ、外側面には内周縁に沿って、表面板１の切除部６に案内される凸条部１１を設けている。さらに、額縁３の内面には、装飾板４の外周縁を挿入する凹部溝１４を設けて、凹部溝１４に装飾板４の外周縁を挿入して、装飾板４と額縁３とを一体構造の額縁ユニット１５としている。装飾板４と額縁３は、互いに固定された額縁ユニット１５の状態で両面の表面板１の間に固定されている。
【００１４】
本発明のドアは、額縁３の凸条部１１が、内周縁に向かって突出する方向に傾斜する傾斜面１２を有し、表面板１の切除部６が、凸条部１１の傾斜面１２の方向に傾斜する傾斜面７を有する。
【００１５】
本発明のドアは、表面板１の開口窓２の隅部１６を面取りされた形状とすることができる。
【００１６】
本発明のドアは、表面板１の内周縁の厚さを、１．５ｍｍよりも薄くすることができる。
【発明の効果】
【００１７】
本発明のドアは、表面に隙間のないスッキリとした美しいデザインにできる特徴がある。それは、本発明のドアが、両表面板の間に、内形を開口窓の内形に沿う形状とする額縁を固定して、この額縁に装飾板を固定しているからである。この構造のドアは、額縁の両面に表面板を固定して、表面板で額縁の両面をカバーする。この構造は、表面板と額縁との間にできる境界を、開口窓の内面に配置してドアの表面には表出させない。開口窓の内面は、ドアの正面からは見えない目だたない部分である。また、額縁の両表面に表面板を固定するので、開口窓の内面にできる表面板と額縁との隙間は少なくできる。このため、本発明のドアは、表面を極めてスッキリと美しいデザインにできる特徴がある。
【００１８】
さらに、本発明のドアは、従来のドアのように芯材を額縁に対して特定の位置に固定する必要がなく、また、額縁に装飾板を固定する額縁ユニットの状態で、表面板の間に固定して製造できるので、簡単な構造で能率よく組み立てできる特徴がある。とくに、種々のデザインのドアを能率よく製造できる特徴がある。それは、表面板の間に配設される芯材を額縁や開口窓に対して特定の位置に配置する必要がなく、特定の形状の額縁ユニットを製造して、表面板をＮＣ加工して開口窓を開口し、開口窓を設けた表面板の間に額縁ユニットを固定して、所定の位置に開口窓のあるドアを製造できるからである。従来のドアは、芯材を特定の位置に固定し、さらにこの芯材の特定の位置に額縁を固定し、額縁を固定するときに装飾板を固定し、さらに、表面板も固定するので製造に手間がかかる。また、開口窓の位置や形状を変更すると、ドアの芯材の位置まで変更する必要があるので、デザイン変更に手間がかかる欠点があった、これに対して本発明のドアは、芯材を額縁や開口窓に対して特定の位置に配置する必要がなく、さらに、ドアによっては芯材を省略することもできるので、種々のデザインのドアを能率よく多量生産できる特徴がある。
【発明を実施するための最良の形態】
【００１９】
以下、本発明の実施例を図面に基づいて説明する。ただし、以下に示す実施例は、本発明の技術思想を具体化するためのドアを例示するものであって、本発明はドアを以下のものに特定しない。
【００２０】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２１】
図５ないし図７に示すドアは、ドア枠５の両面に表面板１を固定している。表面板１は開口窓２を開口して、開口窓２に額縁３を介して装飾板４を固定している。これ等の図に示すドアは、ドア枠５の内側に芯材を設けていないが、ドア枠５と表面板１と額縁３で囲まれる領域に芯材を設けることができる。芯材は、両面に表面板を接着等の方法で固定して、表面板を補強する。また、芯材は、ドア枠に連結されて、ドアを補強することもできる。
【００２２】
ドア枠５は、外形を表面板１の外形に等しくしている。ドア枠５は、表面板１の外周縁に沿って固定される、縦枠と横枠からなる。ドア枠５は、両面に表面板１を接着等の方法で固定している。
【００２３】
表面板１は、木口を切削して綺麗に仕上げ、また、木材に特有の反りを防止するために、繊維板を使用する。繊維板は、表面に、木材を薄くスライスした突板、合成樹脂製の表面シート等の表面材を接着し、あるいは塗装して綺麗に表面仕上げしている。表面板１は、ＮＣ加工して開口窓２を開口している。両面の表面板１は、対向する位置に、すなわち同じ位置に開口窓２を開口している。ただし、本発明のドアは、表面板を繊維板には特定しない。表面板には合板等の他の板材も使用できるからである。
【００２４】
表面板１の開口窓２に額縁３を介して固定される装飾板４は、ガラスやプラスチック板等の透光性のある板材である。ただ、装飾板４には、木材、金属板、プラスチック板等の透光性のない板材も使用できる。図に示すドアは、中央部に縦に並べて複数の開口窓２を設けて、開口窓２に装飾板４を固定している。図に示すドアは、額縁３を四角形として、開口窓２の形状を四角形としている。ただ、本発明のドアは、開口窓２の位置と形状を特定しない。ドアは、三角形や円形の開口窓を設けて、ここに装飾板を固定することもできる。さらに、図６に示す表面板１の開口窓２は、図の一部拡大図に示すように、隅部１６を面取りした形状としている。このように、開口窓２の隅部１６を面取りした構造は、開口窓２をすっきりとした美しい外観にできる特長がある。
【００２５】
図８ないし図１１は、表面板１の開口窓２に、額縁３を介して装飾板４を固定する構造を示す。これ等の図に示す両面の表面板１は、開口窓２の内周縁の内面を切除して、内周縁部に沿って切除部６を設けている。これ等の図に示す切除部６は、開口窓２の内周縁に向かって薄くなる傾斜面７を設けている。切除部６は、開口窓２の内面に表出される内周縁端面９の厚さ（ｔ）を、表面板１全体の厚さ（Ｔ）よりも薄くしている。
【００２６】
図８と図９に示す表面板１は、切除部６に傾斜面７と平面部８を設けて内周縁端面９の厚さ（ｔ）を約０．３ｍｍとしている。平面部８は、表面板１の表面と平行な面である。この表面板１は、開口窓２の内周縁端面９を垂直面として、平面部８の厚さを内周縁端面９の厚さとしている。この表面板１は、内周縁端面９を所定の厚さとして、組み立て時等に内周縁端面９の破損を防止できる。
【００２７】
図１０の表面板１は、切除部６に傾斜面７と平面部８を設け、さらに内周縁端面９も傾斜面としている。この表面板１は、図に示すように、額縁３との間に、接着剤を充填する空隙１０を設けることができる。また、傾斜面によって内周縁端面９の厚さを０とするので、表面板１と額縁３との境界を特に綺麗に仕上げることができる。
【００２８】
図１１の表面板１は、開口窓２の内周縁の隅角に向かって傾斜面７を設けて切除部６を設けて、内周縁端面９の厚さを０としている。この構造も、表面板１と額縁３との境界を特に綺麗に仕上げることができる。
【００２９】
表面板１は、切除部６によって内周縁端面９の厚さ（ｔ）を表面板１全体の厚さ（Ｔ）よりも薄くするが、内周縁端面９の厚さ（ｔ）は、たとえば１．５ｍｍよりも薄く、好ましくは０．５ｍｍよりも薄くする。表面板１全体の厚さ（Ｔ）は約３ｍｍとする。ただし、表面板全体の厚さは、２〜５ｍｍとすることもできる。
【００３０】
額縁３は、木材を加工して製作される。ただ、額縁３は、合成樹脂を成形し、あるいは、繊維板等の人工木材を加工して製作することもできる。額縁３は、その内形を、開口窓２の内形に沿う形状の枠形状としている。額縁３の内形は、開口窓２の内形に等しくする
。
【００３１】
さらに、額縁３は、外側面には内周縁に沿って、表面板１の切除部６に案内される凸条部１１を設けている。凸条部１１を設けない部分の厚さは、両面の表面板１の間隔に等しくしている。表面板１を密着して固定するためである。図８と図９の額縁３は、表面板１の切除部６に嵌着される凸条部１１を設けている。この凸条部１１は、額縁３の内周縁に向かって上り勾配に傾斜する傾斜面１２を有し、かつ凸条部１１の頂上面１３を、表面板１の平面部８に密着する平面としている。この額縁３は、凸条部１１を表面板１の切除部６に嵌着して、表面板１の定位置に固定される。
【００３２】
図１０と図１１の額縁３は、凸条部１１を内周縁に向かって突出する方向に傾斜する傾斜面１２としている。額縁３の傾斜面１２は、表面板１の切除部６に設けた傾斜面７に密着して接着される。
【００３３】
図１０の額縁３は、凸条部１１の傾斜面１２の全面を、切除部６の傾斜面７に密着させない。凸条部１１の傾斜面１２は、内周縁部を内周縁端面９の傾斜面に密着させて、開口窓２の内面において、表面板１と額縁３とを隙間なく密着させる。この構造は、開口窓２の内面において、表面板１と額縁３との間を隙間ができるのを有効に防止して密着できる。
【００３４】
図１１の額縁３は、凸条部１１の傾斜面１２の全面を、表面板１に設けた切除部６の傾斜面７に密着させる。この構造は、額縁３と表面板１とを広い面積でしっかりと剥離しないように接着できる。
【００３５】
図に示す額縁３は、内周面に化粧シートを接着し、あるいは塗装して綺麗に表面仕上げしている。さらに、額縁３は、その内面であって、両面の中央に、装飾板４の外周縁を挿入する凹部溝１４を設け、この凹部溝１４に装飾板４の外周縁を挿入して、装飾板４と額縁３とを一体構造の額縁ユニット１５に連結している。
【００３６】
以上のドアは、以下のようにして組み立てられる。
(1)  額縁３の凹部溝１４に装飾板４を挿入して、額縁３を枠形状に連結して、額縁ユニット１５とする。額縁ユニット１５の額縁３は、内周縁に沿って凸条部１１を設けている。
(2)  表面板１をＮＣ加工して開口窓２を設けると共に、開口窓２に沿って切除部６を設ける。
(3)  ドア枠５の片面に表面板１を接着して固定する。
(4)  表面板１の固定されたドア枠５を水平に置き、ドア枠５に固定された表面板１の開口窓２に、額縁ユニット１５を配設する。額縁ユニット１５は、額縁３の凸条部１１を表面板１の切除部６に案内して、定位置に配置される。このとき、額縁ユニット１５は額縁３の両面に接着剤を塗布している。
(5)  ドア枠５と額縁ユニット１５の上に、残りの表面板１を配置する。このときも、額縁ユニット１５の額縁３に設けた凸条部１１が、表面板１の切除部６に案内されて、表面板１が定位置に配置される。
(6)  ドア枠５と額縁ユニット１５の両面に配置される表面板１を、上下から挟着して、ドア枠５と額縁ユニット１５に表面板１を接着する。
【図面の簡単な説明】
【００３７】
【図１】従来のドアの額縁取り付け部分を示す端面図である。
【図２】従来の他のドアの額縁取り付け部分を示す端面図である。
【図３】従来の他のドアの額縁取り付け部分を示す端面図である。
【図４】本出願人が先に開発したドアの額縁取り付け部分を示す端面図である。
【図５】本発明の一実施例にかかるドアの正面図である。
【図６】本発明の他の実施例にかかるドアの正面図である。
【図７】本発明の他の実施例にかかるドアの正面図である。
【図８】本発明の一実施例にかかるドアの額縁取り付け部分を示す分解断面斜視図である。
【図９】図８に示すドアの額縁取り付け部分を示す端面図である。
【図１０】ドアの額縁取り付け部分の他の一例を示す端面図である。
【図１１】ドアの額縁取り付け部分の他の一例を示す端面図である。
【符号の説明】
【００３８】
１…表面板
２…開口窓
３…額縁
４…装飾板
５…ドア枠
６…切除部
７…傾斜面
８…平面部
９…内周縁端面
１０…空隙
１１…凸条部
１２…傾斜面
１３…頂上面
１４…凹部溝
１５…額縁ユニット
１６…隅部
２１…表面板
２２…開口窓
２３…額縁
２４…装飾板
２５…芯材
２６…Ｖ溝
２７…コ字溝
２８…段差部
２９…スリット隙間
【図１】
0004764100.tif 000002
【図２】
0004764100.tif 000003
【図３】
0004764100.tif 000004
【図４】
0004764100.tif 000005
【図５】
0004764100.tif 000006
【図６】
0004764100.tif 000007
【図７】
0004764100.tif 000008
【図８】
0004764100.tif 000009
【図９】
0004764100.tif 000010
【図１０】
0004764100.tif 000011
【図１１】
0004764100.tif 000012